(57)【要約】【課題】多くのレンズユニットをカメラ本体に装着可能にすることができるマウントアダプターを提供する。【解決手段】マウントアダプターは、第１マウント規格に準拠したカメラ本体に装着される第１マウントリング３０１と、前記第１マウント規格とは異なる第２マウント規格に準拠したレンズユニットが装着される第２マウントリング３０２とを備える。そして、前記第２マウントリング３０２は、前記第１マウントリング３０１に対して、偏心している。【選択図】図８
2010160176.tif 000002
【特許請求の範囲】
【請求項１】
第１マウント規格に準拠したカメラ本体に装着される第１マウントリングと、
前記第１マウント規格とは異なる第２マウント規格に準拠したレンズユニットが装着される第２マウントリングと、を備え、
前記第２マウントリングは、前記第１マウントリングに対して、偏心している、または、偏心可能である、
マウントアダプター。
【請求項２】
前記第１マウントリングの中心軸と前記第２マウントリングの中心軸とは、平行で、かつ、離れている、
請求項１に記載のマウントアダプター。
【請求項３】
前記第２マウント規格で定められた撮像面での有効像円径若しくは撮像領域の対角長は、前記第１マウント規格で定められた撮像面での有効像円径若しくは撮像領域の対角長よりも大きい、
請求項１または２に記載のマウントアダプター。
【請求項４】
前記第１マウントリングがカメラ本体に装着され、前記第２マウントリングにレンズユニットが装着された状態で、前記カメラ本体の撮像素子の撮像面の撮影可能領域が、前記レンズユニットの当該撮像面での有効像円の範囲内に含まれるように、前記第２マウントリングは、前記第１マウントリングに対して、偏心している、
請求項３に記載のマウントアダプター。
【請求項５】
前記第２マウントリングが前記第１マウントリングに対して偏心している方向は、前記第１マウントリングがカメラ本体に装着された状態で前記第１マウント規格によって定められた当該カメラ本体の電気接点から離れる方向である、
請求項１から４のいずれかに記載のマウントアダプター。
【請求項６】
前記第１マウントリングがカメラ本体に装着されていない状態で、前記第２マウントリングにレンズユニットが装着されるのを機械的に禁止するロック機構をさらに備える、
請求項１から５のいずれかに記載のマウントアダプター。
【請求項７】
前記ロック機構は、
前記第１マウントリングがカメラ本体に装着されていない状態で、前記第２マウントリングから突出した状態となり、前記第２マウントリングにレンズユニットが装着されるのを機械的に禁止し、
前記第１マウントリングが前記カメラ本体に装着された状態で、前記第２マウントリングから突出した部分が内部に退避した状態となり、前記第２マウントリングに前記レンズユニットが装着されるのを許容する、
請求項６に記載のマウントアダプター。
【請求項８】
前記第１マウントリングのカメラ本体に対する回転位置に従い偏心量を変更する偏心量変更機構をさらに備える、
請求項１から５のいずれかに記載のマウントアダプター。
【請求項９】
偏心量変更機構は、前記第１マウントリングを前記カメラ本体に対して前記第１マウントリングの中心軸方向に挿入した状態での偏心量、または、前記第１マウントリングを前記カメラ本体に対して前記第１マウントリングの中心軸周りに回転する際の偏心量よりも、前記第１マウントリングが前記カメラ本体に固定された状態での偏心量の方が小さくなるように、偏心量を変更する、
請求項８に記載のマウントアダプター。
【請求項１０】
前記第１マウントリングはバヨネット構成であり、
前記第１マウント規格によって定められたカメラ本体の電気接点は、前記第１マウントリングの中心軸を中心とした円弧状に配置されており、
第１マウントリングの中心軸の方向から見たとき、前記複数の電気接点の両端を除く内側の電気接点と前記第２マウントリングの中心軸との距離が、前記第１マウントリングを前記カメラ本体に挿入してから前記第１マウントリングを回転してカメラ本体に固定するまでの間に極大値となる、
請求項１から９のいずれかに記載のマウントアダプター。
【請求項１１】
前記第１マウントリングはバヨネット構成であり、
前記第１マウント規格によって定められたカメラ本体の電気接点は、前記第１マウントリングの中心軸を中心とした円弧状に配置されており、
前記第１マウントリングの中心軸の方向から見たとき、第１マウントリングをカメラ本体に挿入したときの両端の電気接点のうちの一方の電気接点と第２マウントリングの中心軸との距離が、第１マウントリングを回転してカメラ本体に固定したときの前記両端の電気接点のうちの他方の電気接点と第２マウントリングの中心軸との距離と、実質的に等しい、
請求項１から９のいずれかに記載のマウントアダプター。
【請求項１２】
前記第１マウントリングはバヨネット構成であり、
前記第１マウント規格によって定められたカメラ本体の電気接点は、前記第１マウントリングの中心軸からの距離が異なる複数の電気接点からなり、
前記第１マウントリングの中心軸の方向から見たとき、前記複数の電気接点のうち前記第１マウントリングの中心軸に最も近い電気接点と第２マウントリングの中心軸との距離が、第１マウントリングをカメラ本体に挿入してから第１マウントリングを回転してカメラ本体に固定するまでの間に極大値となる、
請求項１から９のいずれかに記載のマウントアダプター。
【請求項１３】
前記第２マウント規格で定められた前記第２マウントリングの基準面から撮像面側への許容突出量は、前記第１マウント規格で定められた前記第１マウントリングの基準面から電気接点までの前記第１マウントリングの中心軸方向の距離と、前記第１マウントリングの基準面から前記第２マウントリングの基準面までの距離の和よりも大きい、
請求項１から１２のいずれかに記載のマウントアダプター。
【請求項１４】
前記第１マウントリングに対して前記第２マウントリングが偏心していない状態と偏心している状態とを切り替え可能な偏心切替機構を備える、
請求項１に記載のマウントアダプター。
【請求項１５】
前記偏心切替機構は、前記第１マウントリングに対して前記第２マウントリングが偏心している量を任意に調整可能である、
請求項１４に記載のマウントアダプター。
【請求項１６】
前記第１マウントリングの中心軸と前記第２マウントリングの中心軸とは、平行である、
請求項１４または１５に記載のマウントアダプター。
【発明の詳細な説明】
【技術分野】
【０００１】
本発明は、マウントアダプターに関する。マウントアダプターは、静止画撮影を主に行うデジタルスチルカメラ、動画撮影を主に行うムービー等のカメラシステム等に用いられる。
【背景技術】
【０００２】
特許文献１は、一眼レフレックスカメラを開示している。このカメラは、ＣＣＤを備えるデジタルカメラである。このカメラは、レンズユニットが着脱可能な交換レンズ式のデジタルカメラである。このカメラは、レンズユニットとＣＣＤの間にミラーボックス装置を備える。そして、ミラーボックス装置がレンズユニットからの被写体光束をＣＣＤまたはプリズムのいずれかに導く。プリズムに導かれた被写体光束はプリズムによってファインダーに導かれる。
【特許文献１】特開２００７−１２７８３６号公報
【発明の開示】
【発明が解決しようとする課題】
【０００３】
従来の交換レンズ式のデジタルカメラは、ミラーボックス装置を備えていたため、カメラ本体の小型化が困難であった。そこで、本願の発明者らは、ミラーボックス装置を有しない新しい交換レンズ式のデジタルカメラシステムを考案した。
【０００４】
この新しいカメラシステムにおいて、フランジバックを小さくすることで、カメラ本体を小型化、薄型化することが可能となった。フランジバックが小さいため、フィルムカメラ等に用いられていたレンズバックの小さいレンズユニットも光学的に使用可能になった。そこで、本願の発明者らは、カメラ本体と、レンズユニットとの間に介在させるマウントアダプターの開発を検討した。
【０００５】
しかし、レンズユニットによっては、レンズ、レンズ枠等の部材がマウントから撮像面側に突出しているものがあり、この部分がカメラ本体に干渉することがあるという課題を見出した。
【０００６】
本発明は、この課題を解決し、多くのレンズユニットをカメラ本体に装着可能にすることができるマウントアダプターを提供することを目的とする。
【課題を解決するための手段】
【０００７】
上記目的は、以下のカメラ本体によって達成される。
【０００８】
当該マウントアダプターは、第１マウント規格に準拠したカメラ本体に装着される第１マウントリングと、前記第１マウント規格とは異なる第２マウント規格に準拠したレンズユニットが装着される第２マウントリングと、を備え、前記第２マウントリングは、前記第１マウントリングに対して、偏心している。
【発明の効果】
【０００９】
本発明によれば、多くのレンズユニットをカメラ本体に装着可能にすることができるマウントアダプターを提供することができる。
【発明を実施するための最良の形態】
【００１０】
本発明の実施形態に係るマウントアダプターについて説明する。説明の便宜のため、マウントアダプターが用いられるカメラシステムについても説明する。なお、以下の実施形態は本発明の一実施形態であり、本発明はこれらの実施形態に限定されない。
【００１１】
＜第１実施形態＞
（１：カメラシステム）
（１−１：概要）
図１は、カメラシステム１の斜視図である。カメラシステム１は、カメラ本体１００とカメラ本体１００に着脱可能なレンズユニット２００とから構成される。図２は、カメラ本体１００の斜視図である。図３は、カメラシステム１の機能ブロック図である。カメラ本体１００は、ミラーボックス装置を有していない。そのため、従来の一眼レフレックスカメラに比してフランジバックを小さくすることができた。また、フランジバックを小さくすることで、カメラ本体が小型化されている。さらに、フランジバックを小さくすることで、レンズユニット２００は小型化されている。以下、各部の詳細について説明する。説明の便宜のため、カメラシステム１の被写体側を前、撮像面側を後ろ又は背、カメラシステム１の通常姿勢における鉛直上側を上、鉛直下側を下ともいう。
【００１２】
カメラ本体１００およびレンズユニット２００は、同じマウント規格に準拠している。マウント規格とは、カメラ本体においてレンズユニットを装着して使用可能とするための取り決めである。マウント規格においては、まず、レンズマウントがボディマウントに装着可能なように、これらの形状が取り決められている。さらに、マウント規格では、ボディマウントの基準面から撮像面（受光面とも言う）までの距離、すなわち、フランジバックが取り決められている。
【００１３】
レンズユニットは、レンズマウントをボディマウントに装着した状態で撮像面上に後側焦点が位置するように設計される。レンズマウントをボディマウントに装着したときの基準面から後側焦点までの光軸方向の距離をレンズバックとも言う。互換性のあるカメラ本体およびレンズユニットでは、レンズバックはフランジバックと同じ長さである。したがって、レンズバックは、レンズユニット特有の値であって、レンズユニットが有するレンズマウントが装着可能なボディマウントを有するカメラ本体のフランジバック、と言い換えることもできる。なお、マウント規格において、さらに、カメラ本体とレンズユニットとで交換される信号等について取り決めていることもある。
【００１４】
（１−２：カメラ本体の構成）
図４は、カメラシステム１の概略断面図である。また、図５は、カメラ本体の背面図である。カメラ本体１００は、主に、ＣＭＯＳイメージセンサー１１０と、ＣＭＯＳ回路基板１１３と、カメラモニタ１２０と、操作部１３０と、カメラコントローラー１４０を含むメイン回路基板１４２と、ボディマウント１５０と、電源１６０と、カードスロット１７０と、電子ビューファインダー１８０と、シャッターユニット１９０と、光学的ローパスフィルタ１１４と、振動板１１５と、を備える。なお、カメラ本体１００は、ミラーボックス装置を有していない 。また、カメラ本体１００には、前から順に、ボディマウント１５０、シャッターユニット１９０、振動板１１５、光学的ローパスフィルタ１１４、ＣＭＯＳイメージセンサー１１０、ＣＭＯＳ回路基板１１３、放熱板１９５、メイン回路基板１４２、カメラモニタ１２０が配置されている。
【００１５】
ＣＭＯＳイメージセンサー１１０は、レンズユニット２００を介して入射される被写体の光学像を撮像して画像データを生成する。生成された画像データは、ＡＤコンバーター１１１でデジタル化される。ＡＤコンバーター１１１でデジタル化された画像データは、カメラコントローラー１４０で様々な画像処理が施される。ここで言う様々な画像処理とは、例えば、ガンマ補正処理、ホワイトバランス補正処理、キズ補正処理、ＹＣ変換処理、電子ズーム処理、ＪＰＥＧ圧縮処理等である。
【００１６】
ＣＭＯＳイメージセンサー１１０は、タイミング発生器１１２で制御されるタイミングで動作する。ＣＭＯＳイメージセンサー１１０は、静止画像の撮像動作、及び、動画像の撮像動作等を行う。動画像の撮影動作には、スルー画像の撮影動作が含まれる。ここで、スルー画像とは、動画像の撮像後、メモリーカード１７１にデータを記録しない画像である。スルー画像は、主に動画像であり、動画像または静止画像の撮影のための構図を決めるためにカメラモニタ１２０および／または電子ビューファインダー１８０（以下、ＥＶＦとも言う）に表示されるものである。また、動画像の撮影動作には、動画像の記録動作も含まれる。動画像の記録動作とは、動画像の撮影動作およびメモリーカード１７１に動画データを記録する動作を含む動作である。ＣＭＯＳイメージセンサー１１０は、スルー画像として用いる低解像度の動画像の撮影動作と、記録用として用いる高解像度の動画像の撮影動作とが可能である。高解像度の動画像としては、例えば、ＨＤサイズ（ハイビジョンサイズ：１９２０×１０８０画素）の動画像が撮影可能である。なお、ＣＭＯＳイメージセンサー１１０は被写体の光学像を撮像して電気的な画像信号に変換する撮像素子の一例である。撮像素子は、ＣＣＤイメージセンサー等を含む概念である。
【００１７】
ＣＭＯＳ回路基板１１３は、ＣＭＯＳイメージセンサー１１０を駆動制御する回路基板である。また、ＣＭＯＳ回路基板１１３は、ＣＭＯＳイメージセンサー１１０からの画像データに所定の処理を施す回路基板である。ＣＭＯＳ回路基板１１３は、タイミング発生器１１２を含む。また、ＣＭＯＳ回路基板１１３は、ＡＤコンバーター１１１を含む。ＣＭＯＳ回路基板１１３は、撮像素子を駆動制御し、および／または撮像素子からの画像データにＡＤ変換等の所定の処理を施す撮像素子回路基板の一例である。
【００１８】
カメラモニタ１２０は、表示用画像データが示す画像等を表示する。表示用画像データは、カメラコントローラー１４０で作成される。表示用画像データは、画像処理された画像データや、カメラシステム１の撮影条件、操作メニュー等を画像として表示するためのデータ等である。カメラモニタ１２０は、動画像も静止画像も選択的に表示可能である。カメラモニタ１２０は、液晶ディスプレイを有する。
【００１９】
カメラモニタ１２０は、カメラ本体１００に設けられている。本実施形態では、カメラ本体１００の背面に配置されているが、カメラ本体のどこに配置されていてもよい。カメラモニタ１２０は、カメラ本体１００に対する表示面の角度が変更可能である。具体的には、カメラ本体１００は、カメラ本体１００とカメラモニタ１２０との間にヒンジ１２１を有している。ヒンジ１２１は、カメラ本体１００の左端に配置されている。ヒンジ１２１は、具体的には第１のヒンジと第２のヒンジを有する。具体的には第１のヒンジを中心に、カメラモニタ１２０は左右方向に回転可能である。また、第２のヒンジを中心に、上下方向にも回転可能である。
【００２０】
なお、カメラモニタ１２０はカメラ本体１００に設けられた表示部の一例である。表示部としては、他にも、有機ＥＬ、無機ＥＬ、プラズマディスプレイパネル等、画像を表示できるものを用いることができる。また、表示部は、カメラ本体１００の背面でなく、側面や上面等、他の場所に設けてもよい。
【００２１】
電子ビューファインダー１８０は、カメラコントローラー１４０で作成された表示用画像データが示す画像等を表示する。ＥＶＦ１８０は、動画像も静止画像も選択的に表示可能である。また、ＥＶＦ１８０とカメラモニタ１２０とは、同じ内容を表示する場合と、異なる内容を表示する場合とがある。これらは、カメラコントローラー１４０によって制御される。ＥＶＦ１８０は、画像等を表示するＥＶＦ用液晶モニタ１８１と、ＥＶＦ用液晶モニタの表示を拡大するＥＶＦ用光学系１８２と、使用者が目を近づける接眼窓１８３とを有する。
【００２２】
なお、ＥＶＦ１８０もまた、表示部の一例である。カメラモニタ１２０と異なる点は、使用者が目を近づけて見るためのものであることである。構造上の相違点は、ＥＶＦ１８０が接眼窓１８３を有するのに対してカメラモニタ１２０は接眼窓１８３を有しない点である。
【００２３】
なお、ＥＶＦ用液晶モニタ１８１は、透過型液晶の場合はバックライト（不図示）を、反射型液晶の場合はフロントライト（不図示）を設けることで表示輝度を確保する。ＥＶＦ用液晶モニタ１８１は、ＥＶＦ用モニタの一例である。ＥＶＦ用モニタは、有機ＥＬ、無機ＥＬ、プラズマディスプレイパネル等、画像を表示できるものを用いることができる。有機ＥＬのような自発光デバイスの場合は、照明光源は必要ない。
【００２４】
操作部１３０は、使用者による操作を受け付ける。操作部１３０は、使用者により操作される。操作部１３０は、レリーズ釦１３１を含む。レリーズ釦１３１は使用者によるシャッター操作を受け付ける。操作部１３０は、電源スイッチ１３２を含む。電源スイッチ１３２は、カメラ本体１００の上面に設けられた回転式のダイアルスイッチである。第１の回転位置で電源がＯＦＦとなり、第２の回転位置で電源がＯＮとなる。操作部は、使用者による操作を受け付けることができればよく、ボタン、レバー、ダイアル、タッチパネル等を含む。
【００２５】
カメラコントローラー１４０は、ＣＭＯＳイメージセンサー１１０等の各部を含むカメラ本体１００全体を制御する。カメラコントローラー１４０は、電源１６０からの電力の供給が停止した状態でシャッターユニット１９０が開口状態を保持するようにシャッターユニット１９０を制御する。また、カメラコントローラー１４０は、操作部１３０からの指示を受け付ける。カメラコントローラー１４０は、レンズユニット２００を制御するための信号を、ボディマウント１５０及びレンズマウント２５０を介して、レンズコントローラー２４０に送信する。そして、レンズユニット２００の各部を間接的に制御する。すなわち、カメラコントローラー１４０は、カメラシステム１全体を制御する。また、カメラコントローラー１４０は、ボディマウント１５０及びレンズマウント２５０を介して、レンズコントローラー２４０から各種信号を受信する。カメラコントローラー１４０は、制御動作や画像処理動作の際に、ＤＲＡＭ１４１をワークメモリとして使用する。なお、カメラコントローラー１４０はボディ制御部の一例である。カメラコントローラー１４０は、メイン回路基板１４２上に配置されている。
【００２６】
カードスロット１７０は、メモリーカード１７１を装着可能である。カードスロット１７０は、カメラコントローラー１４０からの制御に基づいて、メモリーカード１７１を制御する。具体的には、カードスロット１７０は、メモリーカード１７１に画像データを格納する。カードスロット１７０は、メモリーカード１７１から画像データを出力する。また、メモリーカード１７１に動画データを格納する。カードスロット１７０は、メモリーカード１７１から動画データを出力する。
【００２７】
メモリーカード１７１は、カメラコントローラー１４０が画像処理により生成した画像データを格納可能である。例えば、メモリーカード１７１は、非圧縮のＲＡＷ画像ファイルや圧縮されたＪＰＥＧ画像ファイル等を格納できる。また、メモリーカード１７１は、内部に格納する画像データ又は画像ファイルを出力できる。メモリーカード１７１から出力された画像データ又は画像ファイルは、カメラコントローラー１４０で画像処理される。例えば、カメラコントローラー１４０は、メモリーカード１７１から取得した画像データ又は画像ファイルを伸張などして表示用画像データを生成する。
【００２８】
メモリーカード１７１は、さらに、カメラコントローラー１４０が画像処理により生成した動画データを格納可能である。例えば、メモリーカード１７１は、動画圧縮規格であるＨ．２６４／ＡＶＣに従って圧縮された動画ファイルを格納できる。また、メモリーカード１７１は、内部に格納する動画データ又は動画ファイルを出力できる。メモリーカード１７１から出力された動画データ又は動画ファイルは、カメラコントローラー１４０で画像処理される。例えば、カメラコントローラー１４０は、メモリーカード１７１から取得した動画データ又は動画ファイルを伸張して表示用動画データを生成する。なお、メモリーカード１７１は記憶部の一例である。記憶部は、メモリーカード１７１のようにカメラ本体１００に着脱可能なものでもよく、カメラ本体１００に固定されているものでもよい。
【００２９】
電源１６０は、カメラシステム１で使用するための電力を供給する。電源１６０は、例えば、乾電池であってもよいし、充電池であってもよい。また、電源コード等により外部から供給される電力をカメラシステム１に供給するものであってもよい。
【００３０】
ボディマウント１５０は、着脱可能なレンズユニット２００を保持する。ボディマウント１５０は、レンズユニット２００のレンズマウント２５０と機械的及び電気的に接続可能である。ボディマウント１５０とレンズマウント２５０とを介して、カメラ本体１００とレンズユニット２００との間で、データおよび／または制御信号を送受信可能である。具体的には、ボディマウント１５０とレンズマウント２５０とは、カメラコントローラー１４０とレンズコントローラー２４０との間で、データおよび／または制御信号を送受信する。ボディマウント１５０は、電源１６０から受けた電力を、レンズマウント２５０を介してレンズユニット２００全体に供給する。
【００３１】
さらに具体的には、ボディマウント１５０は、ボディマウントリング１５１と、ボディマウント接点支持部１５２とを含む。ボディマウントリング１５１は、レンズユニット２００のレンズマウントリング２５１との光軸まわりの回転位置関係により、レンズマウントリング２５１と嵌合している状態または嵌合していない状態となる。すなわち、ボディマウントリング１５１とレンズマウントリング２５１との回転位置関係が第１の状態である場合には、レンズマウントリング２５１はボディマウントリング１５１に嵌合しておらす、レンズマウントリング２５１はボディマウントリング１５１に対して光軸方向に移動可能である。また、第１の状態でレンズマウントリング２５１をボディマウントリング１５１に挿入し、レンズマウントリング２５１をボディマウントリング１５１に対して回転させると、レンズマウントリング２５１はボディマウントリング１５１に嵌合する。このときのボディマウントリング１５１とレンズマウントリング２５１との回転位置関係が第２の状態である。回転位置関係が第２の状態であるとき、ボディマウントリング１５１はレンズユニット２００を機械的に保持する。そのため、ボディマウントリング１５１は強度が要求される。ボディマウントリング１５１は、金属で形成されているのが好ましい。ボディマウントリング１５１はボディマウント接点支持部１５２に接続され、ボディマウント接点支持部１５２に支持されている。ボディマウント接点支持部１５２は、複数の電気接点１５３を有する。電気接点１５３は、レンズマウント２５０が有する電気接点２５３とそれぞれ電気的に接続している。そして、ボディマウント１５０の電気接点１５３とレンズマウント２５０の電気接点２５３とによりボディマウント１５０とレンズマウント２５０とは電気的に接続可能である。また、ボディマウント１５０の電気接点１５３とレンズマウント２５０の電気接点２５３とにより電力、データおよび／または制御信号を送受信する。ボディマウント接点支持部１５２は、ボディマウントリング１５１とシャッターユニット１９０との間に配置されている。ボディマウント接点支持部１５２は、開口部を有する。開口部の径は、ボディマウントリングの内径よりも小さい。ボディマウント接点支持部１５２はレンズユニット２００のカメラ本体１００への進入を保護する保護部材の一例である。
【００３２】
シャッターユニット１９０は、いわゆるフォーカルプレーンシャッターである。シャッターユニット１９０は、ボディマウント１５０とＣＭＯＳイメージセンサー１１０との間に配置される。シャッターユニット１９０は、後幕と、先幕と、シャッター支持枠とを有する。シャッター支持枠は、開口部を有する。後幕と先幕が開口部に進退することで、開口部を通ってＣＭＯＳイメージセンサー１１０へ光を導き、または、ＣＭＯＳイメージセンサー１１０への光を遮蔽する。シャッターユニット１９０は、機械的に開口状態が保持可能である。機械的に保持するとは、電気の力を使わずに開口状態を保持するという概念である。例えば、物と物とを係合するものや、永久磁石によって保持するものである。
【００３３】
光学的ローパスフィルタ１１４は、被写体光の高周波成分を取り除く。具体的には、光学的ローパスフィルタ１１４は、レンズユニット２００により結像する被写体像をＣＭＯＳイメージセンサー１１０の画素のピッチよりも粗い解像となるように分離する。一般的にＣＭＯＳイメージセンサー等の撮像素子は、各画素にベイヤー配列と呼ばれるＲＧＢ色のカラーフィルターやＹＣＭ色の補色カラーフィルターが配されている。従って、１画素に解像してしまうと偽色が発生するばかりでなく、繰り返しパターンの被写体では醜いモアレ現象が発生する。さらに光学的ローパスフィルタ１１４には、赤外光をカットするためのＩｒカットフィルタ機能も併せ持たせている。
【００３４】
振動板１１５は、ＣＭＯＳイメージセンサー１１０よりも前に配置され、ＣＭＯＳイメージセンサー１１０への埃の付着を防ぐ。また、振動板１１５自身に付着した埃を振動により振り落とす。具体的には、振動板１１５は、透明の薄い板状部材が圧電素子を介して他の部材に固定された構成である。そして、圧電素子に交流電圧を印加して圧電素子を振動させ、板状部材を振動させる。振動板支持部１１６は、振動板１１５がＣＭＯＳイメージセンサー１１０に対して所定の位置に固定されるように支持している。
【００３５】
（１−３：レンズユニットの構成）
レンズユニット２００は、光学系とレンズコントローラー２４０とレンズマウント２５０と絞りユニット２６０とレンズ筒２９０とを備える。レンズユニット２００の光学系はズームレンズ２１０、ＯＩＳレンズ２２０、および、フォーカスレンズ２３０を含む。光学系は、レンズ筒２９０の内部に収容されている。また、レンズ筒の外部には、ズームリング２１３とフォーカスリング２３４とＯＩＳスイッチ２２４とが設けられている。
【００３６】
ズームレンズ２１０は、レンズユニット２００の光学系で形成される被写体の光学像（以下、被写体像ともいう）の倍率、すなわち、光学系の焦点距離を変化させるためのレンズである。ズームレンズ２１０は、１枚又は複数枚のレンズで構成される。ズームレンズ２１０は、光学系の第１レンズ群Ｌ１と第２レンズ群Ｌ２とを含む。ズームレンズ２１０は、光学系の光軸ＡＸと平行な方向に移動することにより焦点距離を変化させる。
【００３７】
ズームリング２１３は筒状の部材であり、レンズ筒２９０の外周面で回転可能である。ズームリング２１３は、焦点距離を操作するズーム操作部の一例であり、操作後の位置に応じて焦点距離が決定されるズーム操作部の一例である。
【００３８】
駆動機構２１１は、使用者によりズームリング２１３が操作されると、当該操作をズームレンズ２１０に伝え、ズームレンズ２１０を光学系の光軸ＡＸ方向に沿って移動させる。一例として、駆動機構２１１はカム機構を有し、ズームリング２１３の回転動作をズームレンズ２１０の直進動作に変換する。駆動機構２１１は、ズームレンズ駆動手段の一例である。
【００３９】
検出器２１２は、駆動機構２１１における駆動量を検出する。レンズコントローラー２４０および／またはカメラコントローラー１４０は、この検出器２１２における検出結果を取得することにより、光学系における焦点距離を把握することができる。また、レンズコントローラー２４０および／またはカメラコントローラー１４０は、この検出器２１２における検出結果を取得することにより、ズームレンズ（Ｌ１，Ｌ２等）のレンズユニット２００内での光軸ＡＸ方向の位置を把握することができる。なお、駆動機構２１１は、ズームレンズ２１０を光軸ＡＸ方向に沿って移動できればよい。例えば、駆動機構２１１は、ズームリング２１３等の操作部の回転位置に従ってモータ等の駆動力発生部からの駆動力をズームレンズ２１０に伝え、ズームレンズ２１０をズームリング２１３の回転位置に対応する光軸ＡＸ方向の位置に移動するものであってもよい。
【００４０】
ＯＩＳレンズ２２０は、レンズユニット２００の光学系で形成される被写体像のぶれを補正するためのレンズである。具体的には、ＯＩＳレンズ２２０は、カメラシステム１のぶれによって生じる被写体像のぶれを補正する。ＯＩＳレンズ２２０は、カメラシステム１のぶれを相殺する方向に移動することにより、ＣＭＯＳイメージセンサー１１０と被写体像との相対的なぶれを小さくする。具体的には、ＯＩＳレンズ２２０は、カメラシステム１のぶれを相殺する方向に移動することにより、ＣＭＯＳイメージセンサー１１０上の被写体像のぶれを小さくする。ＯＩＳレンズ２２０は、１枚又は複数枚のレンズで構成される。アクチュエータ２２１は、ＯＩＳ用ＩＣ２２３からの制御を受けて、光学系の光軸ＡＸに垂直な面内でＯＩＳレンズ２２０を駆動する。
【００４１】
アクチュエータ２２１は、例えば、マグネットと平板コイルとで実現可能である。位置検出センサー２２２は、光学系の光軸ＡＸに垂直な面内におけるＯＩＳレンズ２２０の位置を検出するセンサーである。位置検出センサー２２２は、例えば、マグネットとホール素子で実現可能である。ＯＩＳ用ＩＣ２２３は、位置検出センサー２２２の検出結果及びジャイロセンサーなどのぶれ検出器の検出結果に基づいて、アクチュエータ２２１を制御する。ＯＩＳ用ＩＣ２２３は、レンズコントローラー２４０からぶれ検出器の検出結果を得る。また、ＯＩＳ用ＩＣ２２３は、レンズコントローラー２４０に対して、光学的像ぶれ補正処理の状態を示す信号を送信する。
【００４２】
なお、ＯＩＳレンズ２２０は、ぶれ補正部の一例である。カメラシステム１のぶれによって生じる被写体像のぶれを補正する手段として、ＣＣＤからの画像データに基づいて補正した画像データを生成する電子式ぶれ補正を適用してもよい。また、カメラシステム１のぶれによって生じるＣＭＯＳイメージセンサー１１０と被写体像との相対的なぶれを小さくする手段として、ＣＭＯＳイメージセンサー１１０を光学系の光軸ＡＸと平行な垂直な面内で駆動する構成としてもよい。
【００４３】
ＯＩＳスイッチ２２４は、ＯＩＳを操作するための操作部の一例である。ＯＩＳスイッチ２２４をＯＦＦにするとＯＩＳレンズ２２０は動作しない。ＯＩＳスイッチ２２４をＯＮにするとＯＩＳレンズ２２０は動作可能となる。
【００４４】
フォーカスレンズ２３０は、光学系がＣＭＯＳイメージセンサー１１０上に形成する被写体像のフォーカス状態を変化させるためのレンズである。フォーカスレンズ２３０は、１枚又は複数枚のレンズで構成される。ズームレンズ２１０は、光学系の光軸ＡＸと平行な方向に移動することにより被写体像のフォーカス状態を変化させる。
【００４５】
フォーカスモータ２３３は、レンズコントローラー２４０の制御に基づいて、フォーカスレンズ２３０が光学系の光軸ＡＸに沿って進退するよう駆動する。これにより、光学系によりＣＭＯＳイメージセンサー１１０上に形成される被写体像のフォーカス状態を変化させることができる。フォーカスモータ２３３は、ズームレンズ２１０の駆動から独立してフォーカスレンズ２３０を駆動することができる。具体的には、フォーカスモータ２３３は、第２レンズ群Ｌ２を基準に、フォーカスレンズ２３０を光軸ＡＸ方向に駆動する。言い換えると、フォーカスモータ２３３は、第２レンズ群Ｌ２とフォーカスレンズ２３０との光軸ＡＸ方向の相対距離を変更可能である。フォーカスレンズ２３０とフォーカスモータ２３３とは第２レンズ群Ｌ２とともに光軸ＡＸ方向に移動する。従って、ズーム動作により第２レンズ群Ｌ２が光軸ＡＸ方向に移動すると、フォーカスレンズ２３０およびフォーカスモータ２３３も光軸ＡＸ方向に移動する。また、第２レンズ群Ｌ２が光軸ＡＸ方向に静止している状態でも、フォーカスモータ２３３は第２レンズ群Ｌ２を基準に、フォーカスレンズ２３０を光軸ＡＸ方向に駆動することができる。フォーカスモータ２３３は、ＤＣモータやステッピングモータ、サーボモータ、超音波モータなどによって実現できる。フォーカスモータ２３３は、フォーカスレンズ駆動手段の一例である。
【００４６】
相対位置検出器２３１及び絶対位置検出器２３２は、フォーカスレンズ２３０の駆動状態を示す信号を生成するエンコーダである。相対位置検出器２３１は、磁気スケールと磁気センサーとを有し、磁気の変化を検出し磁気の変化に応じた信号を出力する。磁気センサーは、例えばＭＲセンサーである。絶対位置検出器２３２は、第２レンズ群Ｌ２に対するフォーカスレンズ２３０の原点位置を検出する原点検出器である。絶対位置検出器２３２は、例えばフォトセンサである。レンズコントローラー２４０は、絶対位置検出器２３２からの信号によりフォーカスレンズ２３０が原点にあることを認識する。このとき、レンズコントローラー２４０は、内部に設けたカウンタ２４３を値セットする。このカウンタ２４３は、相対位置検出器２３１から出力される信号により磁気変化の極値をカウントする。そして、フォーカスレンズ２３０を光軸ＡＸと平行な第１の方向に移動するときに磁気変化の極値が検出されると、カウントを「＋１」する。また、フォーカスレンズ２３０を光軸ＡＸと平行な第１の方向と反対の第２の方向に移動するときに磁気変化の極値が検出されると、カウントを「−１」する。このようにして、レンズコントローラー２４０は、絶対位置である原点位置からの相対位置を検出することにより、第２レンズ群Ｌ２に対するフォーカスレンズ２３０の光軸ＡＸ方向の位置を把握可能である。また、上述のとおり、レンズコントローラー２４０は、第２レンズ群Ｌ２のレンズユニット２００内での光軸ＡＸ方向の位置を把握可能である。従って、レンズコントローラー２４０は、フォーカスレンズ２３０のレンズユニット２００内での光軸ＡＸ方向の位置を把握可能である。相対位置検出器２３１及び絶対位置検出器２３２は、フォーカスレンズ位置検出手段の一例である。フォーカスレンズ位置検出手段は、フォーカスレンズの位置を直接検出するものでもよく、フォーカスレンズに連動する機構部材の位置を検出するものでもよい。
【００４７】
絞りユニット２６０は、光学系を透過する光の量を調整する光量調整部材である。絞りユニット２６０は、光学系を透過する光の光線の一部を遮蔽可能な絞り羽根と、絞り羽根を駆動しその遮蔽量を変更して光量を調整する絞り駆動部とを有する。カメラコントローラー１４０は、ＣＭＯＳイメージセンサー１１０が受けた光の量、静止画撮影を行うのか動画撮影を行うのか、絞り値が優先的に設定される操作がされているか等に基づいて、絞りユニット２６０に動作を指示する。
【００４８】
レンズコントローラー２４０は、カメラコントローラー１４０からの制御信号に基づいて、ＯＩＳ用ＩＣ２２３やフォーカスモータ２３３などのレンズユニット２００全体を制御する。また、検出器２１２、ＯＩＳ用ＩＣ２２３、相対位置検出器２３１、原点位置検出器２３２などから信号を受信して、カメラコントローラー１４０に送信する。レンズコントローラー２４０は、カメラコントローラー１４０との送受信を、レンズマウント２５０及びボディマウント１５０を介して行う。レンズコントローラー２４０は、制御の際、ＤＲＡＭ２４１をワークメモリとして使用する。また、フラッシュメモリ２４２は、レンズコントローラー２４０の制御の際に使用するプログラムやパラメータを保存する。
【００４９】
（２：マウントアダプター）
（２−１：互換性）
上述のように、カメラ本体１００とレンズユニット２００は、同じマウント規格に準拠している。説明の便宜のため、カメラ本体１００が準拠しているマウント規格を第１マウント規格と称する。カメラ本体１００の所有者は、第１マウント規格に準拠したレンズユニットをカメラ本体１００に付け替えて、撮影を楽しむことができる。しかし、第１マウント規格に準拠していないレンズユニットは、第１マウント規格に準拠したボディマウント１５０に装着することができない。そこで、マウントアダプターは、一端がカメラ本体１００に装着され、他の一端が第１マウント規格に準拠していないレンズユニットに装着可能となっている。すなわち、使用者は、第１マウント規格に準拠していないレンズユニットを、マウントアダプター３００を介して、カメラ本体１００に装着可能である。
【００５０】
以下、一実施形態として、マウントアダプター３００について説明する。図６はマウントアダプター３００の概略断面図である。図７は、マウントアダプター３００の機能ブロック図である。図８は、カメラ本体１００とマウントアダプター３００とレンズユニット４００とが結合された状態の図であり、（Ａ）は被写体側から見た図、（Ｂ）は接合部の概略断面図である。図９は、図８のＡ部の拡大図である。
【００５１】
マウントアダプター３００は、第１マウント規格に準拠したカメラ本体に装着可能な第１マウントリング３０１と、第１マウント規格とは異なる第２マウント規格に準拠したレンズユニットに装着可能な第２マウントリング３０２とを有する。具体的には、マウントアダプター３００は、中空状の筒部材３０３の一端に第１マウントリングを有し、他の一端に第２マウントリング３０２を有している。第１マウントリングは、第１マウント規格に準拠したカメラ本体１００のボディマウントリング１５１と嵌合可能である。第２マウントリングは、第２マウント規格に準拠したレンズユニット４００のレンズマウントリング４５１と嵌合可能である。
【００５２】
マウントアダプター３００の光軸方向（第２マウントリングの基準面と直交する方向）の長さは、第２マウントリング３０２の基準面からカメラ本体１００のＣＭＯＳイメージセンサー１１０の撮像面までの距離が、第２マウント規格で定められたフランジバックと実質的に等しくなるように設定されている。具体的には、第１マウントリング３０１の基準面から第２マウントリング３０２の基準面までの距離（空気長Ｌ） が、第２マウント規格で定められたフランジバックと第１マウント規格で定められたフランジバックとの差と実質的に等しい。なお、第１マウントリング３０１の基準面とは、ボディマウントリング１５１の基準面、すなわち、第１マウント規格のフランジバックの基準となる面と装着時に接する第１マウントリング３０１の面のことである。また、第２マウントリング３０２の基準面とは、第２マウント規格のフランジバックの基準となる面のことである。第２マウントリング３０２の基準面は、装着時に、レンズユニット４００のレンズマウントリング４５１の基準面と接する。
【００５３】
マウントアダプター３００は、以上のような構成により、少なくともフランジバック、および、マウント形状について、第１マウント規格と第２マウント規格との互換性を確保することができる。
【００５４】
（２−２：互換性の拡大）
ところで、マウントアダプターは、上記構成だけでは互換性を確保できない場合がある。マウントアダプターを介して各種レンズユニットとカメラ本体を結合する際、撮像面側に位置したレンズユニットの部材、例えば、レンズ玉、もしくは、鏡枠部材が、カメラ本体を構成する撮像部材、電気接点、または、メカ部材等と干渉を起こすことがある。そのようなレンズユニットは、カメラ本体に装着できないばかりでなく、干渉に気が付かずに取り付けられ、カメラ本体又はレンズユニットの故障や破損を起こしてしまう。具体的には、例えば、カメラ本体の電気接点にレンズユニットが接触した際、レンズユニットの接触部分が黄銅やアルミニウム材等の導電性材料で構成されていると、電気接点間で導通し、短絡を起こして、カメラコントローラー等にダメージが与えられることがある。また、干渉したレンズユニットに過度の力量が加わり、レンズユニットに歪が起こり、光学性能が劣化することがある。
【００５５】
特に、近年のカメラシステムは、オートフォーカス等のため、カメラ本体とレンズユニットとの間で信号の通信、電力の通信、データの通信を行っている。そのため、カメラ本体とレンズユニットとは電気接点どうしが接触するような構成となっている。そして、上述の実施形態のカメラ本体１００のように、電気接点１５３はレンズユニット側に突出している場合が多い。カメラ本体１００においては、電気接点１５３は前方に突出している。
【００５６】
一方で、オートフォーカス等の電気的な機能が実現される以前のカメラシステムは、電気接点を有していないものが多い。従って、ボディマウントリングから撮像面側への突出量が多いレンズユニットが存在している。このようなレンズユニットと近年のカメラ本体とをマウントアダプターを介して結像する場合に、レンズユニットとカメラ本体の干渉が起こる可能性が高くなる。本実施形態では、第２マウント規格で定められた第２マウントリング３０２の基準面から撮像面側への許容突出量は、第１マウント規格で定められた第１マウントリング３０１の基準面から電気接点１５３までの第１マウントリング３０１の中心軸３０４方向の距離と、第１マウントリング３０１の基準面から第２マウントリング３０２の基準面までの距離の和よりも大きい。従って、レンズユニットとカメラ本体の干渉が起こる可能性がさらに高い。
【００５７】
そこで、マウントアダプター３００は、これらのレンズユニットをカメラ本体１００に干渉せずに装着可能な構成となっている。具体的には、第１マウントリング３０１の中心軸３０４と第２マウントリング３０２の中心軸３０５とは離れている。言い換えると、第２マウントリング３０２は、第１マウントリング３０１に対して、偏心している。なお、第１マウントリング３０１の中心軸３０４は、第１マウントリング３０１の中心を通り、第１マウントリング３０１の基準面と直交する直線と同じである。第１マウントリング３０１の中心軸３０４は、第１マウントリング３０１に装着されるカメラ本体１００のＣＭＯＳイメージセンサー１１０の撮像面の中心を通り、ＣＭＯＳイメージセンサー１１０の撮像面と直交する直線と実質的に一致する。
【００５８】
また、第２マウントリング３０２の中心軸３０５は、第２マウントリング３０２の中心を通り、第２マウントリング３０２の基準面と直交する直線と同じである。第２マウントリング３０２の中心軸３０５は、第２マウントリング３０２に装着されるレンズユニットの光軸と実質的に一致する。
【００５９】
マウントアダプター３００がカメラ本体１００に装着された状態において、第２マウントリング３０２の中心軸３０５が第１マウントリング３０１の中心軸３０４に対して離れている方向は、第１マウントリング３０１の中心軸３０４と第２マウントリング３０２の中心軸３０５とが一致していたとしたならばレンズユニット４００と干渉する位置に配置されたカメラ本体１００の部材（本実施形態では電気接点１５３）から離れる方向である。具体的には、マウントアダプター３００がカメラ本体１００に装着された状態において、第１マウントリング３０１の中心軸３０４は、第２マウントリング３０２の中心軸３０５から、第１方向に所定量δだけ離れている。第１方向とは、第１マウントリング３０１の中心軸３０４と第２マウントリング３０２の中心軸３０５とが一致していたとしたならばレンズユニット４００と干渉する位置に配置されたカメラ本体１００の部材（本実施形態では電気接点１５３）から第１マウントリング３０１の中心軸３０４に向かう方向である。すなわち、マウントアダプター３００がカメラ本体に装着された状態において、第１マウントリング３０１の中心軸３０４は、第２マウントリング３０２の中心軸３０５から、干渉が解消される方向に、少なくとも干渉が解消される量だけ、離れている。
【００６０】
第１マウントリング３０１の中心軸３０４と第２マウントリング３０２の中心軸３０５とが一致していたとしたならばレンズユニット４００と干渉する位置に配置されたカメラ本体１００の部材（本実施形態では電気接点１５３）は、第１マウントリング３０１の中心軸３０４に対して全周に配置されておらず、一部の周方向の位置に配置されていることが多い。特に、本実施形態の電気接点１５３のように、カメラ本体と同じマウント規格に準拠したレンズユニットと接触することを目的としたような部材は、一部の周方向の位置に配置されていることが多い。全周において接触する必要がないからである。本発明者らはこのような特徴に着目し、第２マウントリング３０２を第１マウントリング３０１に対して偏心させることを着想した。
【００６１】
光学特性についても実質的に問題がないことが多い。上述のように、干渉が起こる可能性があるレンズユニットは、オートフォーカス等の電気的な機能が実現される以前のカメラシステムに用いられていたものが多い。すなわち、そのような古いレンズユニットは、フィルムカメラに使用されていたものであり、マウント規格で定められた有効像円径の大きさ（または撮像面の大きさ）は３５ｍｍフィルムの大きさ（対角４３．２６ｍｍ）であることが多い。一方で、カメラ本体１００のＣＭＯＳイメージセンサー１１０の撮像可能範囲が３５ｍｍフィルムよりも小さければ、第２マウントリング３０２を第１マウントリング３０１に対して偏心させても、ＣＭＯＳイメージセンサー１１０の撮像可能範囲がレンズユニットの有効像円の範囲内に入ることが多いからである。本実施形態では、第１マウント規格で定められた有効像円径または撮像面の大きさは、第２マウント規格で定められた有効像円径または撮像面の大きさよりも小さい。 そして、レンズユニット４００がマウントアダプター３００を介してカメラ本体１００に装着された状態で、ＣＭＯＳイメージセンサー１１０の撮像可能範囲は、レンズユニット４００の有効像円の範囲に入っている。
【００６２】
なお、第１マウントリング３０１の基準面と、第２マウントリング３０２の基準面とは、平行である。従って、第１マウントリング３０１の中心軸３０４と、第２マウントリング３０２の中心軸３０５とは、平行である。 そして、レンズユニット４００がマウントアダプター３００を介してカメラ本体１００に装着された状態で、レンズユニット４００の光軸はカメラ本体１００のＣＭＯＳイメージセンサー１１０の撮像面と直交する。従って、光軸が撮像面の法線に対して傾くことに起因する光学特性の劣化を抑えることができる。
【００６３】
マウントアダプター３００は、以上のような構成により、第２マウント規格に準拠したより多くのレンズユニットとの互換性を確保することができる。
【００６４】
（２−３：偏心量）
第１マウントリング３０１の中心軸３０４と、第２マウントリング３０２の中心軸３０５との距離（以下、「偏心量」とも言う）は小さいほど好ましい。ＣＭＯＳイメージセンサー１１０の撮像範囲の中心とレンズユニット４００の光軸との距離が小さくなるからである。光学特性は、光軸対象であり、光軸からの距離に応じて決まる。例えば、光量は、光軸からの距離に応じて決まる。従って、偏心量が大きいと、例えば輝度が均一の被写体を撮影した場合に、撮影された画像の中心と明るさが最大の点とがずれることになり、不自然である。
【００６５】
そこで、本実施形態のマウントアダプター３００においては、偏心量をなるべく小さくしてある。具体的には、偏心量は、レンズユニット４００がマウントアダプター３００を介してカメラ本体１００に装着された状態で干渉が起こらない範囲でなるべく小さくしている。
【００６６】
なお、第１マウント規格で定められたマウント形状は、バヨネット構成である。具体的には、マウントアダプター３００の第１マウントリング３０１をボディマウントリング１５１に対して光軸方向に挿入し、マウントアダプター３００の第１マウントリング３０１をボディマウントリング１５１に対して光軸周りに回転することで第１マウントリング３０１がボディマウントリング１５１に固定される。従って、第２マウントリング３０２にレンズユニット４００を装着した状態で第１マウントリング３０１をボディマウントリング１５１に装着する場合に、カメラ本体１００の電気接点１５３とレンズユニット４００との干渉が起こりうることに留意しなければいけない。装着時に偏心方向が変化するためである。すなわち、カメラ本体１００にマウントアダプター３００を装着した後に、マウントアダプター３００にレンズユニット４００を装着すべきであることに留意しなければならない。
【００６７】
＜第２実施形態＞
第２実施形態に係るマウントアダプター５００は、第１実施形態のマウントアダプター３００における上述の留意点による問題を解消している。以下、第１実施形態と異なる点についてのみ説明し、同様の構成については説明を省略する。
【００６８】
図１０は、マウントアダプター５００の機能ブロック図である。マウントアダプター５００は、第１実施形態のマウントアダプター３００に加え、さらに、ロック機構５０１を有する。
【００６９】
ロック機構５０１は、第１マウントリング３０１がボディマウントリング１５１に装着されていない状態で、第２マウントリング３０２にレンズユニット４００が装着されるのを機械的に禁止する機構である。ロック機構５０１は、例えば、第１マウントリング３０１がボディマウントリング１５１に装着されていない状態で、第２マウントリング３０１から突出した状態となり、第２マウントリング３０２にレンズユニット４００が装着されるのを機械的に禁止する。そして、ロック機構５０１は、第１マウントリング３０１がボディマウントリング１５１に装着されると、第２マウントリング３０１から突出した部分が内部に退避した状態となり、第２マウントリング３０２にレンズユニット４００が装着されるのを許容する。
【００７０】
従って、マウントアダプター５００によれば、偏心量をなるべく小さくしつつ、干渉を解消することが可能である。
【００７１】
なお、ロック機構５０１は、上述の構成に限られず種々の実現手段があり、他の実現手段によって実施することができる。また、上記説明を読んだ当業者であれば当該機能を実現することは容易に可能である。
【００７２】
＜第３実施形態＞
第３実施形態に係るマウントアダプター６００は、第１実施形態のマウントアダプター３００における上述の留意点による問題を解消している。以下、第１実施形態と異なる点についてのみ説明し、同様の構成については説明を省略する。
【００７３】
図１１は、マウントアダプター６００の機能ブロック図である。マウントアダプター６００は、第１実施形態のマウントアダプター３００に加え、さらに、偏心量変更機構６０１を有する。
【００７４】
偏心量変更機構６０１は、第１マウントリング３０１のボディマウントリング１５１に対する回転位置に従い偏心量を変更する機構である。具体的には、偏心量変更機構６０１は、マウントアダプター６００の第１マウントリング３０１をボディマウントリング１５１に対して光軸方向に挿入した状態での偏心量、または、マウントアダプター６００の第１マウントリング３０１をボディマウントリング１５１に対して光軸周りに回転する際の偏心量よりも、第１マウントリング３０１がボディマウントリング１５１に固定された状態での偏心量の方が小さくなるように、偏心量を変更する。
【００７５】
従って、マウントアダプター６００によれば、偏心量をなるべく小さくしつつ、干渉を解消することが可能である。
【００７６】
なお、偏心量変更機構６０１は、上述の構成に限られず種々の実現手段があり、他の実現手段によって実施することができる。また、上記説明を読んだ当業者であれば当該機能を実現することは容易に可能である。
【００７７】
＜第４実施形態＞
第４実施形態に係るマウントアダプター７００は、第１実施形態のマウントアダプター３００における上述の留意点を考慮し、第２マウントリング３０２にレンズユニット４００を装着した状態で第１マウントリング３０１をボディマウントリング１５１に装着しても干渉が起きないようになっている。以下、第１実施形態と異なる点についてのみ説明し、同様の構成については説明を省略する。
【００７８】
図１２は、マウントアダプター７００の機能ブロック図である。図１３は、マウントアダプター７００をカメラ本体に装着する際の偏心方向の変化を説明するための図である。
【００７９】
第１マウントリング３０１は、バヨネット構成である。第１マウントリング３０１は、ボディマウントリング１５１との光軸まわりの回転位置関係により、ボディマウントリング１５１と嵌合している状態または嵌合していない状態となる。すなわち、第１マウントリング３０１とボディマウントリング１５１との回転位置関係が第１の状態である場合には、レンズマウントリング２５１はボディマウントリング１５１に嵌合しておらす、レンズマウントリング２５１はボディマウントリング１５１に対して光軸方向に移動可能である。また、第１の状態でレンズマウントリング２５１をボディマウントリング１５１に挿入し、第１マウントリング３０１をボディマウントリング１５１に対して図１３の矢印で示す方向に回転させると、第１マウントリング３０１はボディマウントリング１５１に嵌合する。このときの第１マウントリング３０１とレンズマウントリング２５１との回転位置関係が第２の状態である。第２の状態において、第１マウントリング３０１はボディマウントリング１５１に固定される。
【００８０】
第２マウントリング３０２にレンズユニット４００を装着した状態で第１マウントリング３０１をボディマウントリング１５１に装着すると、偏心方向が装着時の回転に伴って回転する。従って、電気接点１５３からレンズユニット４００の干渉考慮部（偏心がなければ干渉が起こる部分を干渉考慮部という）４０１までの距離は、装着時の回転に伴って変化する。この変化によっても電気接点１５３と干渉考慮部４０１の干渉が起こらないように偏心量を決定する必要がある。一方で、偏心量はなるべく小さくすべきである。
【００８１】
そこで、マウントアダプター７００は以下のようにして偏心量を小さくしてある。
【００８２】
本実施形態では、複数の電気接点１５３が第１マウントリング３０１の中心軸３０４を中心とした円弧状に配置されている。第１マウントリング３０１の中心軸３０４の方向から見たとき、複数の電気接点１５３の両端を除く内側の電気接点１５３と第２マウントリング３０２の中心軸３０５との距離が、第１マウントリング３０１をカメラ本体１００に挿入してから第１マウントリング３０１を回転してカメラ本体１００に固定するまでの間に極大値となるように、第２マウントリング３０２が第１マウントリング３０１に対して偏心している。この条件を満たさない場合、例えば、第１マウントリング３０１の中心軸３０４の方向から見たとき、複数の電気接点１５３の両端を除く内側の電気接点１５３と第２マウントリング３０２の中心軸３０５との距離が、第１マウントリング３０１をカメラ本体１００に挿入したとき、又は、第１マウントリング３０１を回転してカメラ本体１００に固定したときに最大値となる場合には、両端に配置された電気接点１５３とレンズユニット４００との干渉を考慮して偏心量をより大きくとる必要がある。
【００８３】
より詳細には、マウントアダプター７００は、第１マウントリング３０１の中心軸３０４の方向から見たとき、第１マウントリング３０１をカメラ本体１００に挿入したときの両端の電気接点１５３のうちの一方の電気接点１５３と第２マウントリング３０２の中心軸３０５との距離が、第１マウントリング３０１を回転してカメラ本体１００に固定したときの両端の電気接点１５３のうちの他方の電気接点１５３と第２マウントリング３０２の中心軸３０５との距離と実質的に等しい。これにより、偏心量をより小さくすることが可能である。
【００８４】
なお、第１マウントリング３０１の中心軸３０４からの距離が異なる複数の電気接点１５３が配置されている場合、第１マウントリング３０１の中心軸３０４の方向から見たとき、複数の電気接点１５３のうち中心軸３０４に最も近い電気接点１５３と第２マウントリング３０２の中心軸３０５との距離が、第１マウントリング３０１をカメラ本体１００に挿入してから第１マウントリング３０１を回転してカメラ本体１００に固定するまでの間に極大値となるように、第２マウントリング３０２が第１マウントリング３０１に対して偏心していると、偏心量をより小さくすることができる。
【００８５】
＜第５実施形態＞
第５実施形態に係るマウントアダプター８００は、第１実施形態のマウントアダプター３００よりもさらに使用者の自由度を広げたものである。以下、第１実施形態と異なる点についてのみ説明し、同様の構成については説明を省略する。
【００８６】
図１４は、マウントアダプター８００の機能ブロック図である。マウントアダプター８００は、第１実施形態のマウントアダプター３００に加え、さらに、偏心切替機構８０１を有する。
【００８７】
偏心切替機構８０１は、第１マウントリング３０１に対して第２マウントリング３０２が偏心していない状態と偏心している状態とを切り替え可能な機構である。具体的には、例えば、偏心切替機構８０１は、第２マウントリング３０２を筒部材３０３に対してスライド可能に支持している。第２マウントリング３０２のスライド方向は、第２マウントリング３０２と平行な方向、言い換えると第２マウントリング３０２の中心軸３０５と直交する方向である。
【００８８】
従って、マウントアダプター８００によれば、干渉が起こらないレンズユニットを装着する際には第１マウントリング３０１に対して第２マウントリング３０２が偏心していない状態で撮影でき、干渉が起こる可能性があるレンズユニットを装着する際には第１マウントリング３０１に対して第２マウントリング３０２が偏心している状態としてレンズユニットを装着可能とすることができる。これにより、使用者の撮影の自由度が広がる。
【００８９】
また、偏心切替機構は、第１マウントリング３０１に対して第２マウントリング３０２が偏心している量を任意に調整可能である。具体的には、例えば、上述のスライド量を任意に調整可能である。従って、使用者は、レンズユニットに応じた偏心量を選択することができる。これにより、使用者の撮影の自由度が広がる。
【００９０】
なお、偏心切替機構８０１は、上述の構成に限られず種々の実現手段があり、他の実現手段によって実施することができる。また、上記説明を読んだ当業者であれば当該機能を実現することは容易に可能である。
【００９１】
＜その他の実施形態＞
以上により、実施形態を説明した。しかし、本発明は、これらには限定されない。そこで、本発明の他の実施形態を本欄にまとめて説明する。
【００９２】
（Ａ）
カメラ本体１００は、ミラーボックス装置を有していない。しかし、ミラーボックス装置を有していてもよい。ミラーボックス装置を有するカメラ本体に接続可能なマウントアダプターの場合にも、レンズユニットとカメラ本体の干渉は起こりうるからである。ただし、ミラーボックス装置を有していないカメラ本体は、フランジバックを短くでき、レンズバックが短いレンズユニットを、リレー光学系を用いずに利用可能な可能性が高い。そして、レンズバックが短いレンズユニットは、レンジファインダーフィルムカメラ用に開発されたものが多く、古いものもある。古いレンズユニットは、レンズユニットとカメラ本体との通信を行うことを想定していなかったものもある。そのようなレンズユニットは、レンズマウントから撮像面側への突出量が多いものもある。従って、本実施形態のようなマウントアダプターは、ミラーボックス装置を有していないカメラ本体に用いるのが特に有効である。
【００９３】
（Ｂ）
実施形態では、第１マウントリング３０１の基準面から第２マウントリング３０２の基準面までの距離（空気長Ｌ）が、第２マウント規格で定められたフランジバックと第１マウント規格で定められたフランジバックとの差と実質的に等しい。これに限らず、第１マウントリング３０１の基準面から第２マウントリング３０２の基準面までの光学長が、第２マウント規格で定められたフランジバックと第１マウント規格で定められたフランジバックとの差と実質的に等しいものでもよい。これは、例えば、第１マウントリング３０１と第２マウントリング３０２の間にリレー光学系が配置されることで実現できる。
【００９４】
（Ｃ）
実施形態では、第１マウント規格で定められた有効像円径の大きさは、第２マウント規格で定められた有効像円径の大きさよりも小さい。これに限らず、第１マウント規格で定められた有効像円径もしくは撮像領域の対角長は、第２マウント規格で定められた有効像円径もしくは撮像領域の対角長よりも大きい、または、同じであってもよい。この場合、第２マウント規格で定められた有効像円よりも外側の光学像を撮像素子で受光して画像に変換してもよい。また、撮像素子は、有効像円内で受光した光学像だけを切り出して画像に変換してもよい。
【００９５】
（Ｄ）
実施形態では、第１マウントリング３０１の基準面と、第２マウントリング３０２の基準面とは、平行である。これに限らず、第２マウントリング３０２の基準面を第１マウントリング３０１の基準面に対して傾いていてもよい。この場合、レンズユニット４００がマウントアダプター３００を介してカメラ本体１００に装着された状態で、レンズユニット４００の光軸はカメラ本体１００のＣＭＯＳイメージセンサー１１０の撮像面の法線に対して傾く。従って、光軸が撮像面の法線に対して傾くことに起因する光学特性の劣化が発生する。この点で、実施形態の方が好ましい。
【００９６】
（Ｅ）
第１マウントリング３０１は、筒部材３０３と一体に設けられてもよく、別々に設けられてもよい。また、第２マウントリング３０２は、筒部材３０３と一体に設けられてもよく、別々に設けられてもよい。
【００９７】
（Ｆ）
電気接点１５３は、第１マウントリング３０１の中心軸３０４と第２マウントリング３０２の中心軸３０５とが一致していたとしたならばレンズユニット４００と干渉する位置に配置されたカメラ本体１００の部材の一例である。当該部材は、電気接点１５３に限られず、カメラ本体やマウント規格の事情に合わせて適宜選択できる。
【００９８】
（Ｇ）
実施形態では、カメラ本体１００を用いて説明した。しかし、カメラ本体はこれに限られず、他の構成としてもよい。
【００９９】
＜実施形態の特徴＞
上記実施形態において特徴的な部分を以下に列記する。なお、上記実施形態に含まれる発明は以下に限定されるものではない。
【０１００】
（１）
マウントアダプターは、
第１マウント規格に準拠したカメラ本体に装着される第１マウントリングと、
前記第１マウント規格とは異なる第２マウント規格に準拠したレンズユニットが装着される第２マウントリングと、を備え、
前記第２マウントリングは、前記第１マウントリングに対して、偏心している、または、偏心可能である。
【０１０１】
これにより、多くのレンズユニットをカメラ本体に装着可能にすることができるマウントアダプターを提供することができる。
【０１０２】
（２）
前記第１マウントリングの中心軸と前記第２マウントリングの中心軸とは、平行で、かつ、離れている。
【０１０３】
（３）
（１）または（２）に記載のマウントアダプターであって、
前記第２マウント規格で定められた撮像面での有効像円径若しくは撮像領域の対角長は、前記第１マウント規格で定められた撮像面での有効像円径若しくは撮像領域の対角長よりも大きい。
【０１０４】
これにより、偏心による光学特性の影響を小さくすることができる。
【０１０５】
（４）
（３）に記載のマウントアダプターであって、
前記第１マウントリングがカメラ本体に装着され、前記第２マウントリングにレンズユニットが装着された状態で、前記カメラ本体の撮像素子の撮像面の撮影可能領域が、前記レンズユニットの撮像面での有効像円の範囲内に含まれるように、前記第２マウントリングは、前記第１マウントリングに対して、偏心している。
【０１０６】
これにより、偏心による光学特性の影響を小さくすることができる。
【０１０７】
（５）
（１）から（４）のいずれかに記載のマウントアダプターであって、
前記第２マウントリングが前記第１マウントリングに対して偏心している方向は、前記第１マウントリングがカメラ本体に装着された状態で前記第１マウント規格によって定められた当該カメラ本体の電気接点から離れる方向である。
【０１０８】
（６）
（１）から（５）のいずれかに記載のマウントアダプターであって、
前記第１マウントリングがカメラ本体に装着されていない状態で、前記第２マウントリングにレンズユニットが装着されるのを機械的に禁止するロック機構をさらに備える。
【０１０９】
これにより、干渉を防止しつつ、偏心量を小さくすることができる。
【０１１０】
（７）
（６）に記載のマウントアダプターであって、
前記ロック機構は、
前記第１マウントリングがカメラ本体に装着されていない状態で、前記第２マウントリングから突出した状態となり、前記第２マウントリングにレンズユニットが装着されるのを機械的に禁止し、
前記第１マウントリングが前記カメラ本体に装着された状態で、前記第２マウントリングから突出した部分が内部に退避した状態となり、前記第２マウントリングに前記レンズユニットが装着されるのを許容する。
【０１１１】
（８）
（１）から（５）のいずれかに記載のマウントアダプターであって、
前記第１マウントリングのカメラ本体に対する回転位置に従い偏心量を変更する偏心量変更機構をさらに備える。
【０１１２】
これにより、干渉を防止しつつ、偏心量を小さくすることができる。
【０１１３】
（９）
（８）に記載のマウントアダプターであって、
偏心量変更機構は、前記第１マウントリングを前記カメラ本体に対して前記第１マウントリングの中心軸方向に挿入した状態での偏心量、または、前記第１マウントリングを前記カメラ本体に対して前記第１マウントリングの中心軸周りに回転する際の偏心量よりも、前記第１マウントリングが前記カメラ本体に固定された状態での偏心量の方が小さくなるように、偏心量を変更する。
【０１１４】
（１０）
（１）から（９）のいずれかに記載のマウントアダプターであって、
前記第１マウントリングはバヨネット構成であり、
前記第１マウント規格によって定められたカメラ本体の電気接点は、前記第１マウントリングの中心軸を中心とした円弧状に配置されており、
第１マウントリングの中心軸の方向から見たとき、前記複数の電気接点の両端を除く内側の電気接点と前記第２マウントリングの中心軸との距離が、前記第１マウントリングを前記カメラ本体に挿入してから前記第１マウントリングを回転してカメラ本体に固定するまでの間に極大値となる。
【０１１５】
これにより、干渉を防止しつつ、偏心量を小さくすることができる。
【０１１６】
（１１）
（１）から（９）のいずれかに記載のマウントアダプターであって、
前記第１マウントリングはバヨネット構成であり、
前記第１マウント規格によって定められたカメラ本体の電気接点は、前記第１マウントリングの中心軸を中心とした円弧状に配置されており、
前記第１マウントリングの中心軸の方向から見たとき、第１マウントリングをカメラ本体に挿入したときの両端の電気接点のうちの一方の電気接点と第２マウントリングの中心軸との距離が、第１マウントリングを回転してカメラ本体に固定したときの前記両端の電気接点のうちの他方の電気接点と第２マウントリングの中心軸との距離と、実質的に等しい。
【０１１７】
これにより、干渉を防止しつつ、偏心量を小さくすることができる。
【０１１８】
（１２）
（１）から（９）のいずれかに記載のマウントアダプターであって、
前記第１マウントリングはバヨネット構成であり、
前記第１マウント規格によって定められたカメラ本体の電気接点は、前記第１マウントリングの中心軸からの距離が異なる複数の電気接点からなり、
前記第１マウントリングの中心軸の方向から見たとき、前記複数の電気接点のうち前記第１マウントリングの中心軸に最も近い電気接点と第２マウントリングの中心軸との距離が、第１マウントリングをカメラ本体に挿入してから第１マウントリングを回転してカメラ本体に固定するまでの間に極大値となる。
【０１１９】
これにより、干渉を防止しつつ、偏心量を小さくすることができる。
【０１２０】
（１３）
（１）から（１２）のいずれかに記載のマウントアダプターであって、
前記第２マウント規格で定められた前記第２マウントリングの基準面から撮像面側への許容突出量は、前記第１マウント規格で定められた前記第１マウントリングの基準面から電気接点までの前記第１マウントリングの中心軸方向の距離と、前記第１マウントリングの基準面から前記第２マウントリングの基準面までの距離の和よりも大きい。
【０１２１】
（１４）
（１）に記載のマウントアダプターであって、
前記第１マウントリングに対して前記第２マウントリングが偏心していない状態と偏心している状態とを切り替え可能な偏心切替機構を備える。
【０１２２】
これにより、使用者の撮影の自由度が広がる。
【０１２３】
（１５）
（１４）に記載のマウントアダプターであって、
前記偏心切替機構は、前記第１マウントリングに対して前記第２マウントリングが偏心している量を任意に調整可能である。
【０１２４】
これにより、使用者の撮影の自由度が広がる。
【０１２５】
（１６）
（１４）または（１５）に記載のマウントアダプターであって、
前記第１マウントリングの中心軸と前記第２マウントリングの中心軸とは、平行である。  （まとめ）
実施形態のマウントアダプターによれば、干渉をなくすことで、マウントアダプターを介して撮影が可能なレンズユニットとカメラ本体との組み合わせが増え、撮影の楽しさが広がる。そして、例えば以下のような利益がもたらされる。
【０１２６】
（ａ）レンズ交換式デジタルカメラとフィルムカメラ用レンズユニットとを組み合わせられる。
【０１２７】
（ｂ）異なったマウント規格で作られたレンズ交換式カメラとレンズユニットとを組み合わせられる。
【０１２８】
（ｃ）カメラが故障して使用できなかったレンズユニットと新たに購入したカメラ本体とを組み合わせられる。
【０１２９】
（ｄ）異なったメーカーのカメラとレンズユニットとを組み合わせられる。
【産業上の利用可能性】
【０１３０】
本発明は、静止画撮影を主に行うデジタルスチルカメラ、動画撮影を主に行うムービー等のカメラシステム等に用いられるマウントアダプターに適用できる。
【図面の簡単な説明】
【０１３１】
【図１】カメラシステム１の斜視図
【図２】カメラ本体１００の斜視図
【図３】カメラシステム１のブロック図
【図４】カメラシステム１の概略断面図
【図５】カメラ本体１００の背面図
【図６】マウントアダプター３００の概略断面図
【図７】マウントアダプター３００の機能ブロック図
【図８】カメラ本体１００とマウントアダプター３００とレンズユニット４００とが結合された状態の図、（Ａ）は被写体側から見た図、（Ｂ）は接合部の概略断面図
【図９】図８のＡ部の拡大図
【図１０】マウントアダプター５００の機能ブロック図
【図１１】マウントアダプター６００の機能ブロック図
【図１２】マウントアダプター７００の機能ブロック図
【図１３】マウントアダプター７００をカメラ本体に装着する際の偏心方向の変化を説明するための図
【図１４】マウントアダプター８００の機能ブロック図
【符号の説明】
【０１３２】
１  カメラシステム
１００  カメラ本体
１１０  ＣＭＯＳイメージセンサー
１５０  ボディマウント
１５１  ボディマウントリング
１５２  ボディマウント接点支持部
１５３、２５３  電気接点
２００、４００  レンズユニット
２５１、４５１  レンズマウントリング
３００、５００、６００、７００、８００  マウントアダプター
３０１  第１マウントリング
３０２  第２マウントリング
３０３  筒部材
３０４  第１マウントリングの中心軸
３０５  第２マウントリングの中心軸
５０１  ロック機構
６０１  偏心量変更機構
８０１  偏心切替機構
【図１】
2010160176.tif 000003
【図２】
2010160176.tif 000004
【図３】
2010160176.tif 000005
【図４】
2010160176.tif 000006
【図５】
2010160176.tif 000007
【図６】
2010160176.tif 000008
【図７】
2010160176.tif 000009
【図８】
2010160176.tif 000010
【図９】
2010160176.tif 000011
【図１０】
2010160176.tif 000012
【図１１】
2010160176.tif 000013
【図１２】
2010160176.tif 000014
【図１３】
2010160176.tif 000015
【図１４】
2010160176.tif 000016